(57)【要約】【課題】住宅やビルの居室などに使用される換気送風装置において、適切な時期にメンテナンスを促す報知を行うことを目的とする。【解決手段】換気送風装置１は、風速を検出する風速検出手段３と、メンテナンスを促すように報知するメンテナンス報知手段２とを備え、前記メンテナンス報知手段２は、前記風速検出手段３が検出した風速が所定範囲外になるとメンテナンスを促すように報知することにより、適切な時期にメンテナンスを促す報知を行える換気送風装置を得られる。【選択図】図１
2005106323.tif 000002
【特許請求の範囲】
【請求項１】
風速を検出する風速検出手段と、メンテナンスを促すように報知するメンテナンス報知手段とを備え、前記メンテナンス報知手段は、前記風速検出手段が検出した風速が所定範囲外になるとメンテナンスを促すように報知することを特徴とする換気送風装置。
【請求項２】
風速を検出する風速検出手段と、フィルターまたはルーバーの目詰まりを検出する目詰まり検出手段と、メンテナンスを促すように報知するメンテナンス報知手段とを備え、前記メンテナンス報知手段は、前記目詰まり検出手段が目詰まりを検出すると前記風速検出手段の出力に関わらずフィルターまたはルーバーが目詰まりしていることまたはフィルターまたはルーバーの清掃を促すように報知し、前記目詰まり検出手段が目詰まりを検出しておらずかつ前記風速検出手段により検出した風速が所定範囲外になった場合にはフィルターまたはルーバー以外の換気送風経路のメンテナンスを促すように報知することを特徴とする換気送風装置。
【請求項３】
風量を検出する風量検出手段と、メンテナンスを促すように報知するメンテナンス報知手段とを備え、前記メンテナンス報知手段は、前記風量検出手段が検出した風量が所定範囲外になるとメンテナンスを促すように報知することを特徴とする換気送風装置。
【請求項４】
風量を検出する風量検出手段と、フィルターまたはルーバーの目詰まりを検出する目詰まり検出手段と、メンテナンスを促すように報知するメンテナンス報知手段とを備え、前記メンテナンス報知手段は、前記目詰まり検出手段が目詰まりを検出すると前記風量検出手段の出力に関わらずフィルターまたはルーバーが目詰まりしていることまたはフィルターまたはルーバーの清掃を促すように報知し、前記目詰まり検出手段が目詰まりを検出しておらずかつ前記風量検出手段により検出した風量が所定範囲外になった場合にはフィルターまたはルーバー以外の換気送風経路のメンテナンスを促すように報知することを特徴とする換気送風装置。
【請求項５】
ファンまたはモータの回転数を検出する回転数検出手段と、フィルターまたはルーバーの目詰まりを検出する目詰まり検出手段と、メンテナンスを促すように報知するメンテナンス報知手段とを備え、前記メンテナンス報知手段は、前記目詰まり検出手段が目詰まりを検出すると前記回転数検出手段の出力に関わらずフィルターまたはルーバーが目詰まりしていることまたはフィルターまたはルーバーの清掃を促すように報知し、前記目詰まり検出手段が目詰まりを検出しておらずかつ前記回転数検出手段により検出した回転数が所定範囲外になった場合にはフィルターまたはルーバー以外の換気送風経路のメンテナンスを促すように報知することを特徴とする換気送風装置。
【請求項６】
フィルターまたはルーバー近傍の空気の汚れ度合いを検出する空気汚れ検出手段と、メンテナンスを促すよう報知するメンテナンス報知手段とを備え、前記メンテナンス報知手段は、前記空気汚れ検出手段の出力値が所定範囲外であればメンテナンスを促すように報知することを特徴とする換気送風装置。
【請求項７】
フィルターまたはルーバー近傍の空気の汚れ度合いを検出する空気汚れ検出手段を、フィルターまたはルーバーの風下側に設置した請求項６記載の換気送風装置。
【請求項８】
メンテナンス報知手段は、換気送風装置の運転開始時の前記空気汚れ検出手段の出力変化パターンから判断してメンテナンスを促すように報知することを特徴とする請求項６または７記載の換気送風装置。
【請求項９】
メンテナンス報知手段は、音声で報知することを特徴とした請求項１、２、３、４、５、６、７または８記載の換気送風装置。
【請求項１０】
メンテナンス報知手段は、換気送風装置本体とは別体とした請求項１、２、３、４、５、６、７、８または９記載の換気送風装置。
【請求項１１】
人感センサを備え、人感センサが人を検出した場合にのみメンテナンス報知手段が報知することとした、請求項１、２、３、４、５、６、７、８、９または１０記載の換気送風装置。
【請求項１２】
照度を検出する光センサを備え、光センサの検出する照度が人が生活するのに必要な照度以上の場合にのみメンテナンス報知手段が報知することとした、請求項１、２、３、４、５、６、７、８、９または１０記載の換気送風装置。
【請求項１３】
照度を検出する光センサと、人感センサとを備え、光センサが検出する照度が人が生活するのに必要な照度以上の場合かつ人感センサが人を検出した場合にのみメンテナンス報知手段が報知することとした、請求項１、２、３、４、５、６、７、８、９または１０記載の換気送風装置。
【請求項１４】
メンテナンス完了を入力するメンテナンス完了入力手段を備え、前記メンテナス完了入力手段からメンテナンス完了信号が出力されるとメンテナンス報知手段はメンテナンスを促すように報知することを中止し内部状態を報知する以前の状態へ初期化することとした、請求項１、２、３、４、５、６、７、８、９、１０、１１、１２または１３記載の換気送風装置。
【発明の詳細な説明】
【技術分野】
【０００１】
本発明は、換気送風装置のメンテナンス時期などを報知することができる換気送風装置に関する。
【背景技術】
【０００２】
近年、住居の気密性が高くなっていることや、化学物質を放つ建材の使用およびエアコンなどの普及で窓を開けないなど、生活環境の変化から室内の空気が汚れがちで、これがシックハウス症候群の原因と考えられ、その対策として建築基準法が改正されるなど、換気送風装置の必要性、関心は高まっており、換気送風装置の換気動作の有無や風量または換気量、および、住宅の換気設備設計通りの能力を発揮しているかを報知する報知手段を備えた換気送風装置が求められている。
【０００３】
また、電動機などの要素技術の発達により換気送風装置の長寿命化が促進されているが、換気送風装置が使用される実態としては通電されたままなど一般的に過酷な使用をされる場合が多く、また清掃や保守、点検も行われることも少ないため、ほこりや油汚れなどによる換気能力の低下、さらには電動機の回転がさまたげられてロックした状態となり、通電状態のまま電動機が過熱してしまう場合もある。よって、換気送風装置が住宅の換気設備設計通りの能力を発揮していない場合、例えば清掃や、保守、点検の時期などを報知し、使用者へ注意を促す報知手段を備えた換気送風装置が求められている。
【０００４】
従来、この種の換気送風装置は、換気送風装置の積算運転時間を利用したものが知られている（例えば、特許文献１参照）。
【０００５】
以下、その換気送風装置の例としての空気調和機について図４と図５を参照しながら説明する。従来の換気送風装置の例としての空気調和機は、図４と図５に示すように構成されていた。即ち、羽根車１０１と、舌部１０２と、リアガイダ１０３と、熱交換器１０４と、エアフィルター１０５と、本体カバー１０６である。羽根車１０１が回転することにより送風作用を行い、吸込み側の熱交換器１０４によって熱交換された空気を吐出口から放出するものである。
【０００６】
ところが、熱交換器１０４の上流側にエアフィルター１０５を挿入し空気中のゴミ、ホコリを取り除いていた。そのため、エアフィルター１０５を掃除する必要があったが、図５のように操作部１０７にフィルターチェックの表示部１０８を設け、ある時間運転すればチェックサイン１０９が出るような機構にして使用者にエアフィルター１０５の掃除時期を知らせていた。
【０００７】
また、この種の換気送風装置には、ファンまたはモータの回転数の変化を利用したものもある（例えば、特許文献１参照）。
【０００８】
以下、その換気送風装置の例としての空気調和機について図６と図７を参照しながら説明する。従来の換気送風装置の例としての空気調和機は、図６と図７に示すように、羽根車１０１は側面に１個以上の穴１１０をあけて構成され発光部に受光部からなるフォトセンサ１１１はそれらの穴と対向して図６のような位置に取り付ける。この穴１１０は羽根車の回転数を測定するための穴で、フォトセンサ１１１がその穴を検出し、フォトセンサ１１１からの出力を図示していない制御回路でカウントして羽根車の回転数を知ることができる。クロスフローファンの送風特性から、羽根車１０１の回転数を知ることによって風量、圧力を知ることができる。クロスフローファンでは負荷抵抗が大きくなると風量は減少し回転数は増加する。この回転数があらかじめセットされたエアフィルター１０５の目詰まり状態での回転数以上であればチェックサイン１０９を表示し使用者にエアフィルター１０５の掃除が必要であることを知らせることができる。
【特許文献１】特開昭５９−１２２８２９号公報（第１〜４頁、第１図、第３図）
【発明の開示】
【発明が解決しようとする課題】
【０００９】
このような従来の換気送風装置では、ファンまたはモータの回転数を検出する手段の追加が必要になるという課題があり、ファンまたはモータの回転数を検出する以外の方法で換気送風装置のメンテナンスを促すように報知することが要求されている。また、ファンまたはモータの回転数は雰囲気温度やモータの巻線温度、電源電圧によっても変動するため、これのみではフィルター目詰まりを検出すると誤差が大きいという課題があり、他の方法で換気送風装置のメンテナンスを促すように報知することが要求されている。
【００１０】
本発明は、このような従来の課題を解決するものであり、ファンまたはモータの回転数を検出することなくメンテナンスが必要になった時にメンテナンスを促すように報知することのできる換気送風装置を提供することを目的としている。
【００１１】
また、従来の換気送風装置では、フィルターの目詰まりを掃除すればよいのか、これ以外の例えばファンに堆積した埃を掃除するといったメンテナンスが必要なのかを判別できないという課題があり、フィルターの目詰まりを掃除すればよいのかこれ以外のメンテナンスが必要なのかを判別することが要求されている。
【００１２】
本発明は、このような従来の課題を解決するものであり、フィルターの目詰まりを掃除すればよいのかこれ以外のメンテナンスが必要なのかを判別して適切なメンテナンスを促すように報知することのできる換気送風装置を提供することを目的としている。
【００１３】
また、従来の換気送風装置では、表示するのみであったため視覚に障害がある使用者には分かり難いという課題があり、視覚に障害がある使用者にも分かりやすくメンテナンスを促すように報知することが要求されている。
【００１４】
本発明は、このような従来の課題を解決するものであり、視覚に障害がある使用者にも分かりやすくメンテナンスを促すように報知することのできる換気送風装置を提供することを目的としている。
【００１５】
また、従来の換気送風装置では、本体に表示するのみであったため本体から離れている使用者には分かり難いという課題があり、本体から離れている使用者にも分かりやすくメンテナンスを促すように報知することが要求されている。
【００１６】
本発明は、このような従来の課題を解決するものであり、本体から離れている使用者にも分かりやすくメンテナンスを促すように報知することのできる換気送風装置を提供することを目的としている。
【００１７】
また、従来の換気送風装置では、使用者の在不在に関わらずメンテナンスを促すように報知するため、近くに使用者が居ないときには無駄に報知することとなり報知に要するエネルギーの無駄を生じるという課題があり、近くに使用者がいるときのみメンテナンスを促すように報知することが要求されている。
【００１８】
本発明は、このような従来の課題を解決するものであり、近くに使用者がいるときのみメンテナンスを促すように報知することのできる換気送風装置を提供することを目的としている。
【００１９】
また、従来の換気送風装置では、使用者の就寝時にもメンテナンスを促すように報知するため使用者が煩わしく感じるという課題があり、使用者の就寝時には報知しないことが要求されている。
【００２０】
本発明は、このような従来の課題を解決するものであり、使用者の就寝時にはメンテナンスを促すような報知をしない換気送風装置を提供することを目的としている。
【００２１】
また、従来の換気送風装置では、メンテナンスを施した後にメンテナンス報知を停止する手段を備えていないため、メンテナンスを施したにも関わらずメンテナンスを促すように報知すしつづける使用者が煩わしく感じるという課題があり、メンテナンス完了時には報知を止めることが要求されている。
【００２２】
本発明は、このような従来の課題を解決するものであり、メンテナンス完了時にはメンテナンスを促すように報知することを止める換気送風装置を提供することを目的としている。
【課題を解決するための手段】
【００２３】
本発明の換気送風装置は上記目的を達成するために、風速を検出する風速検出手段と、メンテナンスを促すように報知するメンテナンス報知手段とを備え、前記メンテナンス報知手段は、前記風速検出手段が検出した風速が所定範囲外になるとメンテナンスを促すように報知することとしたものである。
【００２４】
この手段により、風速からメンテナンスの必要性を判定することができ、ファンまたはモータの回転数を検出することなくメンテナンスが必要になった時にメンテナンスを促すように報知することができる換気送風装置が得られる。
【００２５】
本発明の換気送風装置は上記目的を達成するために、風速を検出する風速検出手段と、フィルターまたはルーバーの目詰まりを検出する目詰まり検出手段と、メンテナンスを促すように報知するメンテナンス報知手段とを備え、前記メンテナンス報知手段は、前記目詰まり検出手段が目詰まりを検出すると前記風速検出手段の出力に関わらずフィルターまたはルーバーが目詰まりしていることまたはフィルターまたはルーバーの清掃を促すように報知し、前記目詰まり検出手段が目詰まりを検出しておらずかつ前記風速検出手段により検出した風速が所定範囲外になった場合にはフィルターまたはルーバー以外の換気送風経路のメンテナンスを促すように報知することとしたものである。
【００２６】
この手段により、フィルターの目詰まりを掃除すればよいのかこれ以外のメンテナンスが必要なのかを判別して適切なメンテナンスを促すように報知することができる換気送風装置が得られる。
【００２７】
本発明の換気送風装置は上記目的を達成するために、風量を検出する風量検出手段と、メンテナンスを促すように報知するメンテナンス報知手段とを備え、前記メンテナンス報知手段は、前記風量検出手段が検出した風量が所定範囲外になるとメンテナンスを促すように報知することとしたものである。
【００２８】
この手段により、風量からメンテナンスの必要性を判定することができ、ファンまたはモータの回転数を検出することなくメンテナンスが必要になった時にメンテナンスを促すように報知することができる換気送風装置が得られる。
【００２９】
本発明の換気送風装置は上記目的を達成するために、風量を検出する風量検出手段と、フィルターまたはルーバーの目詰まりを検出する目詰まり検出手段と、メンテナンスを促すように報知するメンテナンス報知手段とを備え、前記メンテナンス報知手段は、前記目詰まり検出手段が目詰まりを検出すると前記風量検出手段の出力に関わらずフィルターまたはルーバーが目詰まりしていることまたはフィルターまたはルーバーの清掃を促すように報知し、前記目詰まり検出手段が目詰まりを検出しておらずかつ前記風量検出手段により検出した風量が所定範囲外になった場合にはフィルターまたはルーバー以外の換気送風経路のメンテナンスを促すように報知することとしたものである。
【００３０】
この手段により、フィルターの目詰まりを掃除すればよいのかこれ以外のメンテナンスが必要なのかを判別して適切なメンテナンスを促すように報知することができる換気送風装置が得られる。
【００３１】
本発明の換気送風装置は上記目的を達成するために、ファンまたはモータの回転数を検出する回転数検出手段と、フィルターまたはルーバーの目詰まりを検出する目詰まり検出手段と、メンテナンスを促すように報知するメンテナンス報知手段とを備え、前記メンテナンス報知手段は、前記目詰まり検出手段が目詰まりを検出すると前記回転数検出手段の出力に関わらずフィルターまたはルーバーが目詰まりしていることまたはフィルターまたはルーバーの清掃を促すように報知し、前記目詰まり検出手段が目詰まりを検出しておらずかつ前記回転数検出手段により検出した回転数が所定範囲外になった場合にはフィルターまたはルーバー以外の換気送風経路のメンテナンスを促すように報知することとしたものである。
【００３２】
この手段により、フィルターの目詰まりを掃除すればよいのかこれ以外のメンテナンスが必要なのかを判別して適切なメンテナンスを促すように報知することができる換気送風装置が得られる。
【００３３】
本発明の換気送風装置は上記目的を達成するために、フィルターまたはルーバー近傍の空気の汚れ度合いを検出する空気汚れ検出手段と、メンテナンスを促すよう報知するメンテナンス報知手段とを備え、前記メンテナンス報知手段は、前記空気汚れ検出手段の出力値が所定範囲外であればメンテナンスを促すように報知することとしたものである。
【００３４】
この手段により、空気汚れからメンテナンスの必要性を判定することができ、ファンまたはモータの回転数を検出することなくメンテナンスが必要になった時にメンテナンスを促すように報知することができる換気送風装置が得られる。
【００３５】
本発明の換気送風装置は上記目的を達成するために、フィルターまたはルーバー近傍の空気の汚れ度合いを検出する空気汚れ検出手段を、フィルターまたはルーバーの風下側に設置したものである。
【００３６】
この手段により、フィルターまたはルーバーを通過した空気の汚れからメンテナンスの必要性を判定することができ、ファンまたはモータの回転数を検出することなくメンテナンスが必要になった時にメンテナンスを促すように報知することができる換気送風装置が得られる。
【００３７】
本発明の換気送風装置は上記目的を達成するために、メンテナンス報知手段は、換気送風装置の運転開始時の前記空気汚れ検出手段の出力変化パターンから判断してメンテナンスを促すように報知することとしたものである。
【００３８】
この手段により、フィルターまたはルーバーに堆積した塵埃から放散する空気汚れからメンテナンスの必要性を判定することができ、ファンまたはモータの回転数を検出することなくメンテナンスが必要になった時にメンテナンスを促すように報知することができる換気送風装置が得られる。
【００３９】
本発明の換気送風装置は上記目的を達成するために、メンテナンス報知手段は、音声で報知することとしたものである。
【００４０】
この手段により、視覚に障害がある使用者にも分かりやすくメンテナンスを促すように報知することができる換気送風装置が得られる。
【００４１】
本発明の換気送風装置は上記目的を達成するために、メンテナンス報知手段は、換気送風装置本体とは別体としたものである。
【００４２】
この手段により、本体から離れている使用者にも分かりやすくメンテナンスを促すように報知することができる換気送風装置が得られる。
【００４３】
本発明の換気送風装置は上記目的を達成するために、人感センサを備え、人感センサが人を検出した場合にのみメンテナンス報知手段が報知することとしたものである。
【００４４】
この手段により、近くに使用者がいるときのみメンテナンスを促すように報知することができる換気送風装置が得られる。
【００４５】
本発明の換気送風装置は上記目的を達成するために、照度を検出する光センサを備え、光センサの検出する照度が人が生活するのに必要な照度以上の場合にのみメンテナンス報知手段が報知することとしたものである。
【００４６】
この手段により、使用者の就寝時にはメンテナンスを促すような報知をしない換気送風装置が得られる。
【００４７】
本発明の換気送風装置は上記目的を達成するために、照度を検出する光センサと、人感センサとを備え、光センサが検出する照度が人が生活するのに必要な照度以上の場合かつ人感センサが人を検出した場合にのみメンテナンス報知手段が報知することとしたものである。
【００４８】
この手段により、近くに使用者がいない時または使用者の就寝時にはメンテナンスを促すよう報知をしない換気送風装置が得られる。
【００４９】
本発明の換気送風装置は上記目的を達成するために、メンテナンス完了を入力するメンテナンス完了入力手段を備え、前記メンテナス完了入力手段からメンテナンス完了信号が出力されるとメンテナンス報知手段はメンテナンスを促すように報知することを中止し内部状態を報知する以前の状態へ初期化することとしたものである。
【００５０】
この手段により、メンテナンス完了時にはメンテナンスを促すように報知することを止める換気送風装置が得られる。
【発明の効果】
【００５１】
本発明によれば風速からメンテナンスの必要性を判定することができ、ファンまたはモータの回転数を検出することなくメンテナンスが必要になった時にメンテナンスを促すように報知することができるという効果のある換気送風装置を提供できる。
【００５２】
また、本発明によればフィルターの目詰まりを掃除すればよいのかこれ以外のメンテナンスが必要なのかを判別して適切なメンテナンスを促すように報知することができるという効果のある換気送風装置を提供できる。
【００５３】
また、本発明によれば風量からメンテナンスの必要性を判定することができ、ファンまたはモータの回転数を検出することなくメンテナンスが必要になった時にメンテナンスを促すように報知することができるという効果のある換気送風装置を提供できる。
【００５４】
また、本発明によればフィルターの目詰まりを掃除すればよいのかこれ以外のメンテナンスが必要なのかを判別して適切なメンテナンスを促すように報知することができるという効果のある換気送風装置を提供できる。
【００５５】
また、本発明によればフィルターの目詰まりを掃除すればよいのかこれ以外のメンテナンスが必要なのかを判別して適切なメンテナンスを促すように報知することができるという効果のある換気送風装置を提供できる。
【００５６】
また、本発明によれば空気汚れからメンテナンスの必要性を判定することができ、ファンまたはモータの回転数を検出することなくメンテナンスが必要になった時にメンテナンスを促すように報知することができるという効果のある換気送風装置を提供できる。
【００５７】
また、本発明によればフィルターまたはルーバーを通過した空気の汚れからメンテナンスの必要性を判定することができ、ファンまたはモータの回転数を検出することなくメンテナンスが必要になった時にメンテナンスを促すように報知することができるという効果のある換気送風装置を提供できる。
【００５８】
また、本発明によればフィルターまたはルーバーに堆積した塵埃から放散する空気汚れからメンテナンスの必要性を判定することができ、ファンまたはモータの回転数を検出することなくメンテナンスが必要になった時にメンテナンスを促すように報知することができるという効果のある換気送風装置を提供できる。
【００５９】
また、本発明によれば視覚に障害がある使用者にも分かりやすくメンテナンスを促すように報知することができるという効果のある換気送風装置を提供できる。
【００６０】
また、本発明によれば本体から離れている使用者にも分かりやすくメンテナンスを促すように報知することができるという効果のある換気送風装置を提供できる。
【００６１】
また、本発明によれば近くに使用者がいるときのみメンテナンスを促すように報知することができるという効果のある換気送風装置を提供できる。
【００６２】
また、本発明によれば使用者の就寝時にはメンテナンスを促すような報知をしないという効果のある換気送風装置を提供できる。
【００６３】
また、本発明によれば近くに使用者がいない時または使用者の就寝時にはメンテナンスを促すよう報知をしないという効果のある換気送風装置を提供できる。
【００６４】
また、本発明によればメンテナンス完了時にはメンテナンスを促すように報知することを止めるという効果のある換気送風装置を提供できる。
【発明を実施するための最良の形態】
【００６５】
本発明の請求項１記載の発明は、風速を検出する風速検出手段と、メンテナンスを促すように報知するメンテナンス報知手段とを備え、前記メンテナンス報知手段は、前記風速検出手段が検出した風速が所定範囲外になるとメンテナンスを促すように報知することとしたものであり、風速からメンテナンスの必要性を判定することができ、ファンまたはモータの回転数を検出することなくメンテナンスが必要になった時にメンテナンスを促すように報知するという作用を有する。
【００６６】
また、風速を検出する風速検出手段と、フィルターまたはルーバーの目詰まりを検出する目詰まり検出手段と、メンテナンスを促すように報知するメンテナンス報知手段とを備え、前記メンテナンス報知手段は、前記目詰まり検出手段が目詰まりを検出すると前記風速検出手段の出力に関わらずフィルターまたはルーバーが目詰まりしていることまたはフィルターまたはルーバーの清掃を促すように報知し、前記目詰まり検出手段が目詰まりを検出しておらずかつ前記風速検出手段により検出した風速が所定範囲外になった場合にはフィルターまたはルーバー以外の換気送風経路のメンテナンスを促すように報知することとしたものであり、フィルターの目詰まりを掃除すればよいのかこれ以外のメンテナンスが必要なのかを判別して適切なメンテナンスを促すように報知するという作用を有する。
【００６７】
また、風量を検出する風量検出手段と、メンテナンスを促すように報知するメンテナンス報知手段とを備え、前記メンテナンス報知手段は、前記風量検出手段が検出した風量が所定範囲外になるとメンテナンスを促すように報知することとしたものであり、風量からメンテナンスの必要性を判定することができ、ファンまたはモータの回転数を検出することなくメンテナンスが必要になった時にメンテナンスを促すように報知するという作用を有する。
【００６８】
また、風量を検出する風量検出手段と、フィルターまたはルーバーの目詰まりを検出する目詰まり検出手段と、メンテナンスを促すように報知するメンテナンス報知手段とを備え、前記メンテナンス報知手段は、前記目詰まり検出手段が目詰まりを検出すると前記風量検出手段の出力に関わらずフィルターまたはルーバーが目詰まりしていることまたはフィルターまたはルーバーの清掃を促すように報知し、前記目詰まり検出手段が目詰まりを検出しておらずかつ前記風量検出手段により検出した風量が所定範囲外になった場合にはフィルターまたはルーバー以外の換気送風経路のメンテナンスを促すように報知することとしたものであり、フィルターの目詰まりを掃除すればよいのかこれ以外のメンテナンスが必要なのかを判別して適切なメンテナンスを促すように報知するという作用を有する。
【００６９】
また、ファンまたはモータの回転数を検出する回転数検出手段と、フィルターまたはルーバーの目詰まりを検出する目詰まり検出手段と、メンテナンスを促すように報知するメンテナンス報知手段とを備え、前記メンテナンス報知手段は、前記目詰まり検出手段が目詰まりを検出すると前記回転数検出手段の出力に関わらずフィルターまたはルーバーが目詰まりしていることまたはフィルターまたはルーバーの清掃を促すように報知し、前記目詰まり検出手段が目詰まりを検出しておらずかつ前記回転数検出手段により検出した回転数が所定範囲外になった場合にはフィルターまたはルーバー以外の換気送風経路のメンテナンスを促すように報知することとしたものであり、フィルターの目詰まりを掃除すればよいのかこれ以外のメンテナンスが必要なのかを判別して適切なメンテナンスを促すように報知するという作用を有する。
【００７０】
また、フィルターまたはルーバー近傍の空気の汚れ度合いを検出する空気汚れ検出手段と、メンテナンスを促すよう報知するメンテナンス報知手段とを備え、前記メンテナンス報知手段は、前記空気汚れ検出手段の出力値が所定範囲外であればメンテナンスを促すように報知することとしたものであり、空気汚れからメンテナンスの必要性を判定することができ、ファンまたはモータの回転数を検出することなくメンテナンスが必要になった時にメンテナンスを促すように報知するという作用を有する。
【００７１】
また、フィルターまたはルーバー近傍の空気の汚れ度合いを検出する空気汚れ検出手段を、フィルターまたはルーバーの風下側に設置したものであり、フィルターまたはルーバーを通過した空気の汚れからメンテナンスの必要性を判定することができ、ファンまたはモータの回転数を検出することなくメンテナンスが必要になった時にメンテナンスを促すように報知するという作用を有する。
【００７２】
また、メンテナンス報知手段は、換気送風装置の運転開始時の前記空気汚れ検出手段の出力変化パターンから判断してメンテナンスを促すように報知することとしたものであり、フィルターまたはルーバーに堆積した塵埃から放散する空気汚れからメンテナンスの必要性を判定することができ、ファンまたはモータの回転数を検出することなくメンテナンスが必要になった時にメンテナンスを促すように報知するという作用を有する。
【００７３】
また、メンテナンス報知手段は、音声で報知することとしたものであり、視覚に障害がある使用者にも分かりやすくメンテナンスを促すように報知するという作用を有する。
【００７４】
また、メンテナンス報知手段は、換気送風装置本体とは別体としたものであり、本体から離れている使用者にも分かりやすくメンテナンスを促すように報知するという作用を有する。
【００７５】
また、人感センサを備え、人感センサが人を検出した場合にのみメンテナンス報知手段が報知することとしたものであり、近くに使用者がいるときのみメンテナンスを促すように報知するという作用を有する。
【００７６】
また、照度を検出する光センサを備え、光センサの検出する照度が人が生活するのに必要な照度以上の場合にのみメンテナンス報知手段が報知するとしたものであり、使用者の就寝時にはメンテナンスを促すような報知をしないという作用を有する。
【００７７】
また、照度を検出する光センサと、人感センサとを備え、光センサが検出する照度が人が生活するのに必要な照度以上の場合かつ人感センサが人を検出した場合にのみメンテナンス報知手段が報知することとしたものであり、近くに使用者がいない時または使用者の就寝時にはメンテナンスを促すよう報知をしないという作用を有する。
【００７８】
また、メンテナンス完了を入力するメンテナンス完了入力手段を備え、前記メンテナス完了入力手段からメンテナンス完了信号が出力されるとメンテナンス報知手段はメンテナンスを促すように報知することを中止し内部状態を報知する以前の状態へ初期化することとしたものであり、メンテナンス完了時にはメンテナンスを促すように報知することを止めるという作用を有する。
【００７９】
以下、本発明の実施の形態について図面を参照しながら説明する。
【００８０】
（実施の形態１）
図１に示すように、換気送風装置１は、メンテナンス報知手段２としての表示器２と、風速検出手段３と、目詰まり検出手段４と、風量検出手段５と、回転数検出手段６と、空気汚れ検出手段７を備えている。
【００８１】
空気は、モータ１ａによって回転されるシロッコファンであるファン１ｂによって、フィルター付ルーバー１ｃによって塵埃を除去された後換気送風装置内部に吸い込まれ、ファン１ｂを通過し、換気送風装置１が運転中は開かれているダンパ１ｄを通過してダクト１ｅへ吐出される。
【００８２】
換気送風装置１を運転制御する電装部１ｆには、メンテナンス報知手段２としての表示器２と、風速検出手段３と、目詰まり検出手段４と、回転数検出手段６と、空気汚れ検出手段７が接続されている。
【００８３】
表示器２は、居室内の使用者が視認できるように、フィルター付ルーバー１ｃに開かれた穴から突出している。
【００８４】
電装部１ｆが備える風量検出手段５は、風速検出手段３の出力値から電装部１ｆが記憶している参照テーブルを参照して風量に換算する。
【００８５】
目詰まり検出手段４は、フィルター付ルーバー１ｃの外側と内側にそれぞれ開口部を持ち、空気のフィルター付ルーバー１ｃを通過する前と通過した後の圧力差であるフィルター付ルーバー１ｃ前後の差圧が、目詰まりしていない状態の差圧よりも大きな所定の値、例えば目詰まりしていない状態より２５％増加した値、を超えたことによってフィルター付ルーバー１ｃの目詰まりを検出する。
【００８６】
回転数検出手段６は発光部と受光部を備え、ファン１ｂの外周の回転数検出手段６と対向する位置に設けた反射部からの反射光を捕らえて、ファン１ｂまたはモータ１ａの回転数を検出する。
【００８７】
ガスセンサーである空気汚れ検出手段７は、フィルター付ルーバー１ｃより風下側でかつフィルター付ルーバー１ｃの近くに設けられていて、空気中のＶＯＣｓ濃度や臭いの強さを検出することで空気の汚れ度合いを検出する。
【００８８】
図２に示すように、メンテナンス報知手段２としての表示器２は、フォトダイオードである光センサ８と、焦電形赤外線センサである人感センサ９と、押しボタンスイッチであるメンテナンス完了入力手段１０を備える。さらに表示器２は、音声発生部２ａと、複数の発光ダイオードを一列に並べて構成した風量表示部２ｂと、風量の増減それぞれに対応した２つの押しボタンスイッチの組み合わせである風量設定部２ｃと、「正常」「フィルター清掃」「内部点検」それぞれに対応する３つの発光ダイオードから構成したメンテナンス種別表示部２ｄを備える。
【００８９】
風量表示部２ｂは風量検出手段５の出力の大きさに応じて、左側から点灯する発光ダイオードの個数を増減して、換気送風装置１の風量を使用者に分かりやすく表示する。
【００９０】
風量設定部２ｃのいずれのボタンが押されたかとその押下回数に応じて電装部１ｆはモータ１ａの回転数を増減させて、換気送風装置１の風量を増減する。
【００９１】
上記構成において、メンテナンス報知手段２は換気送風装置１の運転中に、風速検出手段３の出力値が正常運転時の風速の所定範囲内、例えば正常運転時風速の７５％〜１２５％の範囲内で、かつ目詰まり検出手段４が目詰まりを検出していなければメンテナンス種別表示部２ｄに「正常」と表示し、正常運転時風速の７５％未満でかつ目詰まり検出手段４が目詰まりを検出している場合には「フィルター清掃」と表示し、正常運転時風速の７５％未満でかつ目詰まり検出手段４が目詰まりを検出していない場合には「内部点検」と表示し、正常運転時風速の１２５％を超える場合には「内部点検」と表示し、正常運転時風速の７５％〜１２５％の範囲内で、かつ目詰まり検出手段４が目詰まりを検出していれば風速検出手段３目詰まり検出手段４の異常と判断して「内部点検」とそれぞれ表示するとともに、音声発生部２ａからもメンテナンス種別表示部２ｄの表示内容に合わせた音声メッセージを発して、使用者に適切なメンテナンスを促すよう報知する。
【００９２】
これにより、風速からメンテナンスの必要性を判定することができ、ファンまたはモータの回転数を検出することなくメンテナンスが必要になった時にメンテナンスを促すように報知することができ、さらにフィルターの目詰まりを掃除すればよいのかこれ以外のメンテナンス、例えばファンの清掃やモータの交換などが必要なのかを判別して適切なメンテナンスを促すように報知することができる。
【００９３】
また、メンテナンス報知手段２は、光センサ８の出力値が通常人が生活するのに必要な照度以上、例えば１０ルックス以上の時かつ人感センサ９が人を検知している時のみ上記の表示を行い、これ以外の時にはすべての表示を止める。この構成により、近くに使用者がいない時または使用者の就寝時にはメンテナンスを促すよう報知をしないことが実現できる。
【００９４】
また、メンテナンス報知手段２は換気送風装置１の運転中に、風量検出手段５の出力値が正常運転時の風量の所定範囲内、例えば換気送風装置１が運転中で正常運転時風量の７５％〜１２５％の範囲内であれば、メンテナンス種別表示部２ｄに「正常」と表示し、正常運転時風速の７５％未満でかつ目詰まり検出手段４が目詰まりを検出している場合には「フィルター清掃」と表示し、正常運転時風量の７５％未満でかつ目詰まり検出手段４が目詰まりを検出していない場合には「内部点検」と表示し、正常運転時風量の１２５％を超える場合には「内部点検」とそれぞれ表示するとともに、音声発生部２ａからもメンテナンス種別表示部２ｄの表示内容に合わせた音声メッセージを発して、使用者に適切なメンテナンスを促すよう報知する。
【００９５】
これにより、風量からメンテナンスの必要性を判定することができ、ファンまたはモータの回転数を検出することなくメンテナンスが必要になった時にメンテナンスを促すように報知することができ、さらにフィルターの目詰まりを掃除すればよいのかこれ以外のメンテナンス、例えばファンの清掃やモータの交換などが必要なのかを判別して適切なメンテナンスを促すように報知することができる。
【００９６】
また、メンテナンス報知手段２は換気送風装置１の運転中に、回転数検出手段６の出力値が正常運転時の回転数の所定範囲内、例えば換気送風装置１が運転中で正常運転時回転数の７５％〜１２５％の範囲内であれば、メンテナンス種別表示部２ｄに「正常」と表示し、正常運転時回転数の１２５％を超えかつ目詰まり検出手段４が目詰まりを検出している場合には「フィルター清掃」と表示し、正常運転時回転数の１２５％を超えかつ目詰まり検出手段４が目詰まりを検出していない場合には「内部点検」と表示し、正常運転時回転数の７５％未満の場合には「内部点検」とそれぞれ表示するとともに、音声発生部２ａからもメンテナンス種別表示部２ｄの表示内容に合わせた音声メッセージを発して、使用者に適切なメンテナンスを促すよう報知する。
【００９７】
これにより、ファンまたはモータの回転数からメンテナンスの必要性を判定してすることができ、さらにフィルターの目詰まりを掃除すればよいのかこれ以外のメンテナンス、例えばファンの清掃やモータの交換などが必要なのかを判別して適切なメンテナンスを促すように報知することができる。
【００９８】
また、メンテナンス報知手段２は換気送風装置１の運転中に、空気汚れ検出手段７の出力値が一般大気の空気汚れの範囲内であればメンテナンス種別表示部２ｄに「正常」と表示し、空気汚れ検出手段７の出力値が法などで定められた居室の基準値以上であれば、フィルター付ルーバー１ｃに堆積した塵埃から発生した空気汚れと判断して、「フィルター清掃」と表示する。また、これを目詰まり検出手段４の出力と組み合わせて、目詰まり検出手段４が目詰まりを検出していて、かつ空気汚れ検出手段７の出力値が法などで定められた居室の基準値以上であれば、フィルター付ルーバー１ｃに堆積した塵埃から発生した空気汚れと判断して、「フィルター清掃」と表示し、目詰まり検出手段４が目詰まりを検出しておらず、かつ空気汚れ検出手段７の出力値が法などで定められた居室の基準値以上であれば、居室の換気不足または空気汚れ発生が異常に多いと判断してメンテナンス種別表示部２ｄの発光ダイオード全てを点滅させて窓開け警報を発するとともに、音声発生部２ａからも空気汚染がひどく窓を開けるべき旨の音声メッセージを発して、使用者に窓開けを促すよう報知する。
【００９９】
これにより、空気汚れからメンテナンスの必要性を判定することができ、ファンまたはモータの回転数を検出することなくメンテナンスが必要になった時にメンテナンスを促すように報知することができ、さらに居室内の空気汚れ度合いに応じて換気量不足を検出し使用者に窓開けを促すように報知することができる。
【０１００】
また、メンテナンス報知手段２は換気送風装置１の停止中に、空気汚れ検出手段７の出力値が一般大気の空気汚れの範囲を超えた場合には、フィルター付ルーバー１ｃに堆積した塵埃から発生した空気汚れと判断して、「フィルター清掃」と表示する。
【０１０１】
これにより、換気送風装置１の停止中でも、フィルター清掃などのメンテナンスを促す報知をすることができる。  また、メンテナンス報知手段２は換気送風装置１の運転開始時に、空気汚れ検出手段７の出力値の単位時間当たりの上昇率が、フィルター付ルーバー１ｃが清浄な場合と同程度であれば、メンテナンス種別表示部２ｄに「正常」と表示し、空気汚れ検出手段７の出力値の単位時間当たりの上昇率が、フィルター付ルーバー１ｃが清浄な場合より大きい場合、例えば２倍を超えていてかつ目詰まり検出手段４が目詰まりを検出している場合にはフィルター付ルーバー１ｃに堆積した塵埃から発生した空気汚れと判断して、「フィルター清掃」と表示する。
【０１０２】
これにより、空気汚れからメンテナンスの必要性を判定することができ、ファンまたはモータの回転数を検出することなくメンテナンスが必要になった時にメンテナンスを促すように報知することができる。
（実施の形態２）
図３はメンテナンス報知手段は、換気送風装置本体とは別体としたシステム構成図を示し、図３において換気送風装置１は電波を用いた無線方式による通信手段１１を備え、天井１６に設置されている。メンテナンス報知手段２としての表示器２は、換気送風装置１とは別体で、電波を用いた無線方式による通信手段１１を備えている。
【０１０３】
上記の構成により、換気送風装置１と表示器２は電波を用いた無線方式で相互に通信することで、使用者の近くでメンテナンス報知が行え、本体から離れている使用者にも分かりやすくメンテナンスを促すように報知する、より使い勝手のよいものとなる。
なお、実施の形態１では、風速検出手段３と、目詰まり検出手段４と、風量検出手段５と、回転数検出手段６と、空気汚れ検出手段７とを備える例を示したが、用途に合わせてこれらのうち１つのみ、または複数を備えることとしてもよい。
【０１０４】
なお、実施の形態１では、光センサ８と、人感センサ９とを備える例を示したが、用途に合わせてこれらを備えない、またはこれらのうち１つのみ、または複数を備えることとしてもよい。
【０１０５】
なお、実施の形態１では、押しボタンスイッチによるメンテナンス完了入力手段１０の例を示したが、この機能を電源断による電源リセット動作に置き換えてもよい。
【０１０６】
なお、実施の形態１では、フィルター付ルーバー１ｃとしたが、フィルターのないルーバーまたはフィルターのみまたは、フィルターもルーバーもなく、単に吸気口や排気口があいているだけでもよい。
【０１０７】
なお、実施の形態２では、通信手段１１は無線としたが、有線であってもよい。
【０１０８】
なお、実施の形態２では、通信手段１１は電波を用いた無線方式としたが、光など他の媒体を用いた無線方式であってもよい。
【０１０９】
なお、実施の形態１および実施の形態２では、天井取り付け型の換気送風装置の例を示したが、壁面取り付け型や中間ダクト型の換気送風装置でもよい。
【０１１０】
なお、実施の形態１および実施の形態２では、換気送風装置の例を示したが、換気機能のない送風装置でもよい。
【産業上の利用可能性】
【０１１１】
広く送風機能のある装置一般に適用でき、家庭用のルームエアコン、自動車用カーエアコン、ビル用空調機、トンネル内のジョットファンなどの用途にも適用できる。
【図面の簡単な説明】
【０１１２】
【図１】本発明の実施の形態１の換気送風装置構成を示す構成図
【図２】同メンテナンス報知手段の構成図
【図３】本発明の実施の形態２のシステム構成図
【図４】従来の換気送風装置の構成を示す構成図  同操作部の構成図
【図５】同換気送風装置の操作部の構成図
【図６】同換気送風装置の回転数検出手段の構成を示す第１の構成図
【図７】同換気送風装置の回転数検出手段の構成を示す第２の構成図
【符号の説明】
【０１１３】
１  換気送風装置
２  メンテナンス報知手段
３  風速検出手段
４  目詰まり検出手段
５  風量検出手段
６  回転数検出手段
７  空気汚れ検出手段
８  光センサ
９  人感センサ
１０  メンテナンス完了入力手段
【図１】
2005106323.tif 000003
【図２】
2005106323.tif 000004
【図３】
2005106323.tif 000005
【図４】
2005106323.tif 000006
【図５】
2005106323.tif 000007
【図６】
2005106323.tif 000008
【図７】
2005106323.tif 000009